(57)【特許請求の範囲】
【請求項１】
端縁部に相互連結構造を備えた床化粧材をバルコニーやベランダ等に敷設して床を構成するにあたり、その床の端の部分に配置して、敷設状態の床化粧材の踏み面と連続する傾斜面を床敷設部周縁に形成するための床周縁部材であって、
上記傾斜面を形成する表面材を備えた本体と、この本体を上記床化粧材の端縁部に直接、または、他の床周縁部材を介して間接的に連結するための連結構造部とからなり、その本体の端縁部には、当該床周縁部材を床面に固定するための固定用ボルト孔を有する固定片が前記連結構造部と並設して一体に設けられ、その固定用ボルト孔が、敷設状態で隣接する他の床周縁部材の下方に位置するように構成されていることを特徴とする床周縁部材。
【請求項２】
上記本体に排水用の切欠きが設けられていることを特徴とする請求項１に記載の床周縁部材。
【発明の詳細な説明】
【０００１】
【発明の属する技術分野】
本発明は、バルコニーやベランダ、あるいはテラス等の床の表面に、ブロック状の床化粧材を敷設して床を構成するに際に、その床の端の部分に生じる段差を無くすために用いられる床周縁部材に関する。
【０００２】
【従来の技術】
バルコニーやベランダ等に対する床材（デッキ材）の敷設構造としては、従来、例えば実公昭５６−５１５６３号等に見られるように、係止溝を備えた固定基板を根太上に複数個ねじ止めするとともに、バルコニー等の寸法に合わせて切断された長尺のデッキ材の裏面側の突条を各固定基板の係止溝に圧入嵌合するなどの構造が採られていた。
【０００３】
これに対し、近年、コンクリート等によって構成されたバルコニーやベランダの床面を覆う床材として、端縁部に相互連結構造を備えた枠体に表面化粧材を固着してなり、かつ、その枠体の裏面側には被敷設面との間に排水空間を形成するための脚が形成された、ブロック状の床化粧材が実用化されている。このような床化粧材においては、各ブロックの枠体どうしを連結しながら被敷設面に置いていくだけで敷設することができるので、施工性が極めて良好であるという特徴がある。
【０００４】
また、このような床化粧材を用いて床を構成する際、バルコニー等の全面に床化粧材を敷きつめるのではなく、床面の一部分に床化粧材を敷設するという施工法が採られることも多く、この場合、床化粧材の敷設部位の端部には床化粧材の高さ分の段差ができ、その段差で人が躓く虞れがあることから、これを防止するため、表面が傾斜した構造の縁枠体を床化粧材の端縁部に配置するという方法が採られている（例えば実公平４−２７４２０号公報）。
【０００５】
【発明が解決しようとする課題】
ところで、この種の床化粧材は、各ブロックの枠体どうしを連結して屋上やバルコニー等の床面に置くだけの構造であるので、位置ずれや強風による捲くれあがり生じ易いという問題があり、その対策として、従来、床化粧材の端部に配置する躓き防止用の床周縁部材を、被敷設面にボルト等により固定するという方法が採られている。
【０００６】
例えば、上記した実公平４−２７４２０号公報においては、躓き防止用の縁枠板の表面から裏面側まで貫通する固定用ボルト孔を設け、この孔を利用して縁枠板を被敷設面に固定するようにしている。しかし、このような敷設構造では、固定用ボルト孔が表面側から見えるので、ボルトにより固定を行ったときにボルト頭部が目立ち、また、ボルト固定を行わない場合には固定用ボルト孔が目立ってしまい、いずれの場合も床端縁部周辺の美観が損なわれるといった問題がある。
【０００７】
なお、ベランダ等に敷設する床化粧材においては、上記したように雨水等の排水が流れ易い構造となっているが、実公平４−２７４２０号公報に記載の縁枠板では、傾斜端部と床面との間に隙間がない構造となっているので、このような床化粧材を端縁部に配置すると、その部材によって排水の流れが遮られてしまい、排水性能が低下するという新たな問題も発生する。
【０００８】
【課題を解決するための手段】
本発明は、上記した問題点を解消するためになされたもので、その構成を、実施の形態の一例を表す図２及び図３を参照しつつ説明すると、本発明の床周縁部材は、端縁部に相互連結構造を備えた床化粧材をバルコニーやベランダ等に敷設して床を構成するにあたり、その床の端の部分に配置して、敷設状態の床化粧材の踏み面と連続する傾斜面を床敷設部周縁に形成するための床周縁部材であって、上記傾斜面を形成する表面材１１ａを備えた本体１１と、この本体１１を床化粧材１（図１参照）の端縁部に直接（または他の床周縁部材を介して間接的）に連結するための連結構造部（例えば雌連結部１２）とからなり、その本体１１の端縁部には、当該床周縁部材１０を床面に固定するための固定用ボルト孔１５ａを有する固定片１５が前記連結構造部と並設して一体に設けられ、敷設状態で隣接する他の床周縁部材１０の下方に位置するように構成されていることによって特徴づけられる。
【０００９】
このような構造の本発明の床周縁部材は、図７，図８に例示するように、床化粧材１の端縁部に連結するとともに、その固定用ボルト孔１５ａを利用して被敷設面にボルト固定した状態で使用される。この使用状態において、各ユニット（床周縁部材）の固定用ボルト孔１５ａは、それぞれ隣接する床周縁部材１０で覆われるので、その固定用ボルトＢの頭部（またはボルト孔自体）が、床化粧材１の表面側に目立つことがなくなる。
【００１０】
ここで、本発明の床周縁部材において、図９，図１１に例示するように、排水用の切欠きＣを設けておけば、排水性が良好となり、床化粧材と被敷設面との間の空間に雨水等が溜まることを防止することができる。
【００１１】
なお、そのような切欠きの形状は、半円形が好ましいが、例えば四角形あるいは三角形など、排水可能な形状であれば特に限定されない。
また、切欠き形状を半円形とする場合、その径方向の寸法は、水の表面張力及び意匠面などを考慮すると、半径１．５ｍｍ＋αｍｍ程度が好ましいが、１．５ｍｍ以上であれば特に問題はない。
【００１２】
【発明の実施の形態】
本発明の実施の形態を、以下、図面に基づいて説明する。
まず、本発明の床周縁部材を適用する床化粧材を、図１に示す斜視図を参照しつつ説明する。この図１に示す床化粧材１は、硬質合成樹脂を四角形（３０ｃｍ角）に成形した枠体２と、その上面に装着される９枚の表面材（略１０ｃｍ角）３・・３によって構成されており、その枠体２の裏面には、複数本の脚１ａ・・１ａが一体形成されている。また枠体２には、互いに隣合う２辺の端縁部に、それぞれ連結孔４ａを有する複数個の雌連結部４・・４が一定のピッチで設けられており、その各対辺側には雄連結部５・・５がそれぞれ雌連結部４・・４に対応する位置関係で設けられている。
【００１３】
図２〜図６は本発明の床周縁部材の実施の形態を示す図である。
まず、図２及び図３（ａ），（ｂ）  に示す床周縁部材１０は、硬質合成樹脂を長方形状に成形した長さ３０ｃｍ×幅１０ｃｍの部材で、本体１１の上面に一体形成された表面材１１ａが、長方形の短手方向に傾斜する形状に加工されており、その長辺側の一端縁の高さＨが、図１に示した床化粧材１の高さと等しい寸法に加工されている。
【００１４】
この例の床周縁部材１０は、床化粧材１の雄連結部５・・５側に配置する部材で、長辺側の一端縁に、連結孔１２ａを有する複数の雌連結部１２・・１２が、床化粧材１の雄連結部５・・５と同一のピッチで設けられている。その各雌連結部１２の連結孔１２ａは床化粧材１の雄連結部５を嵌め込むことのできる寸法となっている。
【００１５】
床周縁部材１０の短辺側の一端縁には、連結孔１３ａを有する２個の雌連結部１３が所定の間隔を空けて設けられており、短辺側の他端縁には、２個の雄連結部１４が雌連結部１３と対応する位置関係に設けられている。その雄連結部１４は、雌連結部１３の連結孔１３ａに嵌め込むことのできる寸法となっている。
【００１６】
そして、この図２，図３に示す床周縁部材１０においては、短辺側の一端縁で２個の雌連結部１３と１３の間に、固定用ボルト孔１５ａを有する固定片１５を設けたところに特徴がある。
【００１７】
次に、図４（ａ），（ｂ）  に示す床周縁部材２０は、先と同様に、硬質合成樹脂を長方形状（長さ３０ｃｍ×幅１０ｃｍ）に成形した樹脂成形品で、本体２１の上面に一体形成された表面材２１ａが長方形の短手方向に傾斜する形状に成形されている。
【００１８】
この床周縁部材２０の長辺側の一端縁には、床化粧材１の連結孔４ａへの嵌め込みが可能な雄連結部２２・・２２が、その連結孔４ａ・・４ａと同一のピッチで設けられており、床化粧材１の雌連結部４・・４側への連結が可能な構造となっている。
【００１９】
そして、この図４に示す床周縁部材２０においても、先と同様に、短辺側に設けた雌連結部２３と２３との間に、固定用ボルト孔２５ａを有する固定片２５が設けられている。
【００２０】
一方、図５及び図６（ａ），（ｂ）  に示す床周縁部材３０は、床化粧材１・・１により構成する床の出隅にあたる部分に用いる略正方形状（略１０ｃｍ角）の樹脂成形品（硬質合成樹脂）で、本体３１の上面に一体形成された表面材３１ａが、正方形の１つの角（高さＨ）から他の３角に向けて傾斜する形状に成形されている。
【００２１】
この床周縁部材３０の一端縁には、先の床周縁部材１０の連結孔１３ａ（または床周縁部材２０の連結孔２３ａ）への嵌め込みが可能な雄連結部３４が２箇所に設けられており、これと隣合う端縁には、先の床周縁部材２０の雄連結部２４（または床周縁部材１０の雄連結部１４）を嵌め込むことが可能な連結孔３３ａを有する雌連結部３３が設けられている。そして、この床周縁部材３０においても、端縁に設けた雌連結部３３と３３との間に、固定用ボルト孔３５ａを有する固定片３５が設けられている。
【００２２】
ここで、以上の３つの例において、固定片１５，２５，３５の端縁部からの突出量は、敷設状態で隣接する他のユニット（床周縁部材）が固定用ボルト孔１５ａ，２５ａ，３５ａを覆うことのできる程度の寸法とする。
【００２３】
次に、以上の床周縁部材１０，２０及び３０の敷設手順を、以下、図７及び図８を参照しつつ説明する。
まず、バルコニー等の床面に床化粧材１・・１を敷設しておき、それら床化粧材１・・１で構成される床の一端部に、図３に示す床周縁部材１０を、その連結孔１３ａの位置が床化粧材１の雄連結部５に合うように配置し、雄連結部５を連結孔１３ａに嵌め込んで連結する。この状態で、図８に示すように、床周縁部材１０の固定用ボルト孔１５ａにボルトＢを通してこの床周縁部材１０を床面に固定する。
【００２４】
次いで、隣接するブロックの床化粧材１に、先と同様にして床周縁部材１０を連結するともに、この床周縁部材１の雄連結部１４（図３参照）を、先に連結したユニットの連結孔１３ａに嵌め込んで、これら隣接する床周縁部材１０を相互に連結した後、この床周縁部材１０をボルトによって床面に固定する。このようにして、複数の床周縁部材１０・・１０を床の一端部に沿って順次に敷設していく。
【００２５】
一方、床化粧材１・・１で構成される床の出隅となる部分については、図６に示した略正方形の床周縁部材３０を出隅部分に配置し、この床周縁部材３０の雄連結部３４を、その側方に敷設した床周縁部材１０の連結孔１３ａに嵌め込んで相互に連結し、次いで床周縁部材３０の固定用ボルト孔３５ａにボルトＢを通して床面に固定する。この後、隣接する床端部に対して、複数の床周縁部材２０・・２０を、上記と同様な手順によって順次に敷設していく。
【００２６】
そして、以上のようにして、床敷設周縁部に沿って床周縁部材１０，２０及び３０を敷設すると、床の端部で躓く虞れがなくなるとともに、床化粧材１・・１の位置ずれ・強風による捲れ上がりを防止できる。しかも、各床周縁部材の固定用ボルト孔１５ａ，２５ａ及び３５ａは、図７に示すように、隣接するユニット（床周縁部材）で覆われるので、各床周縁部材を固定するボルトＢの頭部が目立たなくなる結果、床敷設部周縁を美しく仕上げることができる。また、各床周縁部材１０，２０及び３０をボルト固定しない場合でも、固定用ボルト孔が目立ち難くなるので、床敷設部周縁の美観が損なわれることがない。
【００２７】
ここで、以上の実施の形態においては、固定用ボルト孔を備えた固定片１５，２５及び３５を、床周縁部材端部の幅寸法（略１０ｃｍ）の関係上、床周縁部材端部の１箇所に設けているが、その固定片１５，２５及び３５の個数には特に制限がなく、多くすればする程、より高い床面への固定力を得ることができる。
【００２８】
また、本発明の床周縁部材は、以上説明した実施の形態のように、表面材を一体形成した樹脂成形品とすることが好ましいが、枠体に表面材を固着する分割構造でものであってもよく、この場合、表面素材として木、ゴム等の各種の材料を用いることができる。
【００２９】
図９〜図１２は、本発明の床周縁部材の他の実施の形態を示す図で、これらの図に各例においては、床周縁部材に排水用の切欠きを設けたところに特徴がある。
すなわち、図９の斜視図、図１０（ａ），（ｂ）  の各断面図に示す床周縁部材１０’（または床周縁部材２０’）は、それぞれ、先の図３の床周縁部材１０（または図４の床周縁部材２０）の傾斜最下部に排水用の切欠きＣを設けたところに特徴があり、また、図１１の斜視図，図１２の断面図に示す床周縁部材３０’は先の図６の床周縁部材３０の一角部に排水用の切欠きＣを設けたところに特徴がある。
【００３０】
そして、このように各床周縁部材に排水用の切欠きＣを設けると、本床周縁部材の目的である、躓きの防止、並びに床化粧材の位置ずれ・強風による捲れ上がりの防止に加えて、排水性が良好になるという効果を達成できる。
【００３１】
例えばプールサイドに敷設する場合、下地と床化粧材との間の空間にプール水等が溜まることがなくなる。また、テラスに敷設する場合においても、雨等で水が下地と床化粧材との空間に水が溜まったり、あるいは床化粧材の表面まで水が溜まるということがなくなる。
【００３２】
従って、図９〜図１２に示したような切欠き付きの床周縁部材を使用すれば、雨上がり等の湿気や、雨天時等の歩行難から開放されるとともに、精神衛生面も良好となる。
【００３３】
ここで、図９〜図１２に示したように、床周縁部材の傾斜最下部に単純に切欠きを設けた場合、美観上好ましくない製品となるので、例えば図１３に示すように、意匠面を考慮して、床周縁部材１１０の意匠上の一部として設けられる切れ目１１０ａに排水用の切欠きＣを設ける、というの工夫を凝らせば、切欠きの存在を目立ち難くすることができる。
【００３４】
また、以上の例では、排水用の切欠きＣを半円形としているが、本発明はこれに限られることなく、例えば図１４（ａ），（ｂ）  に示すように、四角形の切欠きＣ’あるいは三角形の切欠きＣ”等であってもよい。
【００３５】
【発明の効果】
以上説明したように、本発明の床周縁部材によれば、敷設状態で固定用ボルト孔が他の床周縁部材によって覆われるので、バルコニーやベランダ等の床面に敷設した床の端縁周辺部の美観を損なうことなく、床化粧材の位置ずれ・強風による捲れあがりを防止することできる。また、ボルトによる固定を実施しない場合でもボルト孔が目立つことがなくなるので、床の端縁周辺部を美しく仕上げることができる。
【００３６】
なお、本発明の床周縁部材において、排水用の切欠きを設けておけば、上記した効果に加えて、床化粧材の裏面側の排水性が良好となり、床化粧材の下面側空間に水が溜まるという問題を解消することができる、という効果も達成できる。
【図面の簡単な説明】
【図１】本発明の床周縁部材を適用する床化粧材の構造を示す斜視図
【図２】本発明の床周縁部材の一例を示す斜視図
【図３】図２に示す床周縁部材の平面図（ａ）及び裏面図（ｂ）
【図４】本発明の床周縁部材の他の例を示す平面図（ａ）及び裏面図（ｂ）
【図５】本発明の床周縁部材の更に別の例を示す斜視図
【図６】図５に示す床周縁部材の平面図（ａ）及び裏面図（ｂ）
【図７】本発明の床周縁部材の使用状態の模式的説明図
【図８】同じく使用状態の模式的説明図
【図９】排水用の切欠きを設けた床周縁部材の例を示す斜視図
【図１０】その切欠きに沿った断面図
【図１１】排水用の切欠きを設けた床周縁部材の更に別の例を示す斜視図
【図１２】その切欠きに沿った断面図
【図１３】切欠きの意匠面を考慮した構造の説明図
【図１４】床周縁部材に設ける切欠きの変形例を示す図
【符号の説明】
１  床化粧材
４  雌連結部
５  雄連結部
１０，２０，３０  床周縁部材
１１，２１，３１  本体
１１ａ，２１ａ，３１ａ  表面材
１２，１３，２３，３３  雌連結部
１４，２２，２４，３４  雄連結部
１５ａ，２５ａ，３５ａ  固定用ボルト孔
Ｃ  切欠き（排水用）
【図１】
0003561387.tif 000002
【図２】
0003561387.tif 000003
【図３】
0003561387.tif 000004
【図４】
0003561387.tif 000005
【図５】
0003561387.tif 000006
【図６】
0003561387.tif 000007
【図７】
0003561387.tif 000008
【図８】
0003561387.tif 000009
【図９】
0003561387.tif 000010
【図１０】
0003561387.tif 000011
【図１１】
0003561387.tif 000012
【図１２】
0003561387.tif 000013
【図１３】
0003561387.tif 000014
【図１４】
0003561387.tif 000015